(57)【要約】【課題】騒音減衰のために設置する防音パネルにおいて、防音パネルの設置容易性、耐久性、及び堅牢度を向上させるとともに、支持フレームとの連結部位が外部に全く露出しないので、美麗な外観を表出させることができ、積層された各防音パネルが独立した防音室形態をなして、高音及び低音の騒音と隙間による騒音を完全に防音させ、外部から流入する粉塵を排出することができ、防音パネルを一体型の単一射出で成形することにより、製作費用を節減することができる新形態の一体型防音パネルを提供することにある。【解決手段】前方シートと後方シートとからなる本体部と、該本体部に内蔵される吸音材とを備えた、壁用の一体型防音パネルであって、複数のパネルを互いに組み合わせるために前記本体部の両端部に備えられた固定体が、垂直方向に沿って一定間隔に配された複数のテンション片と、前記固定体の中心軸に沿って所定の曲率半径を有した複数の結合凹部とにより統合的に形成され、複数の線状突起と複数の吸入孔とを水平方向に一定の形状で前方シートに形成され、複数の管が組み合わされて、前記本体部の底板の表面から下方に伸び、前記底板はθ3の角度に傾斜して配され、前記本体部の内部において複数の隔板により、第一、第二、及び第三の吸音室が形成され、前記本体部の上部にはカバーが脱着自在となるように備えられていることを特徴とする一体型防音パネルを提供する。【選択図】図２
2005506478.tif 000002
【特許請求の範囲】
【請求項１】
前方シートと後方シートとからなる本体部と、該本体部に内蔵される吸音材とを備えた、壁用の一体型防音パネルであって、
複数のパネルを互いに組み合わせるために前記本体部の両端部に備えられた固定体が、垂直方向に沿って一定間隔に配された複数のテンション片と、前記固定体の中心軸に沿って所定の曲率半径を有した複数の結合凹部とにより統合的に形成され、
複数の線状突起と複数の吸入孔とを水平方向に一定の形状で前方シートに形成され、
複数の管が組み合わされて、前記本体部の底板の表面から下方に伸び、前記底板はθ3の角度に傾斜して配され、
前記本体部の内部において複数の隔板により、第一、第二、及び第三の吸音室が形成され、
前記本体部の上部にはカバーが脱着自在となるように備えられていることを特徴とする一体型防音パネル。
【請求項２】
前記前方シートが下端部に排出孔を備え、前記複数の管は、上端部が閉塞されており、且つ、管の側壁がリブにより互いに連結されている請求項１記載の一体型防音パネル。
【請求項３】
角度を付けてパネルを結合し防音パネルの屈曲部を形成し得るように、前記固定体の中心軸に沿って所定の曲率半径を有した複数の結合凹部を有する請求項１記載の一体型防音パネル。
【請求項４】
前記第一の吸音室と前記第三の吸音室とは同じ幅を有し、前方シートより第一の吸音室に進入した騒音が、吸音材により一次吸収、一次散乱される一次減衰と第三の吸音室における反射、散乱によりニ次減衰される請求項１記載の一体型防音パネル。
【請求項５】
前記前方シートの前記線状突起は、上面が下方に向け、前方シート面に垂直な方向に対してθ1の角度で傾斜し、且つ、前記線状突起の下面は上方に向け、前記垂直な方向に対してθ2の角度で傾斜している請求項１記載の一体型防音パネル。
【発明の詳細な説明】
【技術分野】
【０００１】
本発明は一体型プラスチック防音パネルに係り、より詳しくは騒音減衰のための防音パネルの簡便で容易な設置を図るとともに、それぞれの連結部位が外部に露出しないようにして、美麗な外観を表出させ、多層に組み立てられるそれぞれの防音パネルが閉鎖された状態で独立した防音室形態を有するので、低周波の微細騒音まで完全に減衰することができ、また、防音パネルの内部に流入した異物を排出することができ、防音パネルを一体型の単一射出で成形することにより、費用を節減することが可能な一体型防音パネルに関するものである。
【背景技術】
【０００２】
一般に、防音パネルとは騒音を吸収、分散、消滅させるためのもので、主に道路に隣接した学校、病院、住宅など、騒音防止が必要なところに設置される。
現在、産業発達による副産物である騒音は、各種車両の増加と機械類の増加により、騒音発生の量的増加及び騒音に曝される地域の拡大は避け得ない現実であるので、各種騒音により発生する環境問題が台頭し、この目的を達成する防音パネルが開発された。
【０００３】
一方、従来の防音パネルは、図１ａ及び図１ｂに示すように、アンカーボルトなどの固定手段（図示せず）により立設されたＨビームからなる支持フレーム１にそれぞれの防音パネル１０の端部を位置させた後、別の固定体２を支持フレーム１と防音パネル１０間に挟んで設置するか、あるいは、図１ｂに示すように、内蔵吸音材の厚さを大きくして防音パネル１０の厚さを増大させ、支持フレーム１にスライド可能に結合させ、防音パネル１０の端部に一体的に成形された遮蔽型１２が支持フレーム１を取り囲んで、外部に露出しないようにする。
【０００４】
しかし、前述のような従来の防音パネルにおいては、前者（図１ａ）の場合、防音パネルを設置するためには、必ず別の固定体が要求されるので、設置作業がややこしく、堅固な結合ができない、又、支持フレームと固定体が外部に露出した状態であるので、外観が美麗でないだけでなく、防音パネルの厚さが小さいため、防音、つまり騒音除去率が低下する欠点がある。
【０００５】
また、後者（図１ｂ）の場合は、防音パネルに一体的に成形された遮蔽片により外部に露出した支持フレームが遮蔽されて外観が向上しているが、支持フレームを遮蔽するために突出した遮蔽片のため、ほかの美観上の問題点が発生した。
【０００６】
また、従来の防音パネルは大部分アルミニウム外壁を使用しているが、このアルミニウムは、外壁の強度が十分でないため、弱い外力によっても破損し、設置後に酸化腐食すると、不潔で退色して道路環境の阻害要素となる。また、前記アルミニウム材質の防音パネルは、施工後、車両又は電車の振動により発生する組立用部品の緩みのため、各部品間に隙間が発生して防音性能を低下させるだけでなく、内蔵ガラス繊維などの吸音材は雨に濡れるか又は飛散するなど、環境的面でも非常に悪い結果を招来し、最近には人体に関連して発癌物質として判明されて制限されている。
【発明の開示】
【０００７】
本発明は前記のような従来の問題点を解決するためになされたもので、その目的は、騒音減衰のために設置する防音パネルにおいて、防音パネルの設置容易性、耐久性、及び堅牢度を向上させるとともに、支持フレームとの連結部位が外部に全く露出しないので、美麗な外観を表出させることができ、積層された各防音パネルが独立した防音室形態をなして、高音及び低音の騒音と隙間を通る騒音を完全に防音させ、外部から流入する粉塵を排出することができ、防音パネルを一体型の単一射出で成形することにより、製作費用を節減することができる新形態の一体型防音パネルを提供することにある。
【０００８】
このような目的を達成するため、本発明は、前方シートと後方シートとからなる本体部と、該本体部に内蔵される吸音材とを備えた、壁用の一体型防音パネルであって、複数のパネルを互いに組み合わせるために前記本体部の両端部に備えられた固定体が、垂直方向に沿って一定間隔に配された複数のテンション片と、前記固定体の中心軸に沿って所定の曲率半径を有した複数の結合凹部とにより統合的に形成され、複数の線状突起と複数の吸入孔とを水平方向に一定の形状で前方シートに形成され、複数の管が組み合わされて、前記本体部の底板の表面から下方に伸び、前記底板はθ3の角度に傾斜して配され、前記本体部の内部において複数の隔板により、第一、第二、及び第三の吸音室が形成され、前記本体部の上部にはカバーが脱着自在となるように備えられていることを特徴とする一体型防音パネルを提供する。
【０００９】
また、本発明は、前記前方シートが下端部に排出孔を備え、前記複数の管は、上端部が閉塞されており、且つ、管の側壁がリブにより互いに連結されている前記一体型防音パネルを提供する。
【００１０】
また、本発明は、角度を付けてパネルを結合し防音パネルの屈曲部を形成し得るように、前記固定体の中心軸に沿って所定の曲率半径を有した複数の結合凹部を有し、前記第一の吸音室と前記第三の吸音室とは同じ幅を有し、前方シートより第一の吸音室に進入した騒音が、吸音材により一次吸収、一次散乱される一次減衰と第三の吸音室における反射、散乱によりニ次減衰される前記一体型防音パネルを提供する。
【発明を実施するための最良の形態】
【００１１】
以下、本発明を添付図面に基づいてより詳細に説明するが、図面において同一の要素には同一符号を付けて説明する。
【００１２】
図２ないし図９ｃに示すように、本発明による防音パネル１００は、平行に配されたシート１０２、１０４を備えた本体部１２０により構成されている。前記本体部１２０は、複数のパネルを組み合わせて並べ防音壁を形成し得るように、両端部には、複数のテンション片１１２と結合凹部１１４とを有する固定体１１０を備えている。該固定体１１０は、垂直方向に、一定間隔で多数のテンション片１１２と、固定体の中心軸に沿って形成された結合凹部１１４とを備えている。各結合凹部１１４は、曲面切欠きを形成し得るように所定の曲率半径を有している。両シート１０２、１０４の内、前方シート１０２は、線状突起１２２と吸入孔１２４が多数形成されている。ここでは、線状突起１２２は一定間隔で前方シート１０２に水平方向に延在して配され、吸入孔１２４は前記線状突起１２２の間に配されている。前記線状突起１２２の上面は、下方に向け前方シート面に垂直な方向に対してθ1の角度で傾斜し、そして、下面は、上方に向け前記垂直な方向に対してθ2の角度で傾斜している。前記前方シート１０２の下端部には遮蔽片１２６を備えている。
前記遮蔽片１２６は、下向きに折り曲げられ、断面が逆Ｌ字形状をしている。また、多数の管１２８が組み合わされて、前記本体部１２０の底板１４４の表面から下方に伸び底部を形成している。前記本体部１２０の内部には第１、第２、第３吸音室１３４、１３６、１３８が隔板１４２により区画され、底板１４４が一定角度θ3の傾斜面をなしている。
また、前記本体部１２０の上面には、必要時には、内部を密閉させ得るように脱着自在なカバー１５０がなされる。
【００１３】
この際、前記前方シート１０２の下端部には排出孔１０６が形成され、前記連結管１２８は上面が閉鎖され、リブ１２８′により一体的に連結される。
【００１４】
また、前記本体部１２０の両端部の中心軸に沿って形成された結合凹部１１４により、必要時には、曲がった防音壁を形成できるように、防音パネル１００が支持フレームに対して角度を持たせて取り付けることができる。前記第１及び第３吸音室１３４、１３８により前方に吸入された騒音が吸音材１３２により一次に吸音（吸収、分散）されて減衰された後、第３吸音室１３８内で反射、吸収されて二次に吸音される。
【００１５】
前記線状突起１２２の所定角度θ1は２０〜３０°、θ2は５〜１０°が好ましい。さらに、前記第１及び第３吸音室１３４、１３８の幅Ａともに同じ値で、その広さは５〜１０ｃｍが好ましい。
【００１６】
図２は本発明による一体型プラスチック防音パネルを示す斜視図である。同図に示すように、本発明による一体型防音パネルは、防音パネル１００の本体部１２０の前後面に前方シート１０２及び後方シート１０４により形成されている。両側端部には固定体１１０が一体的に成形され、前記パネル１０２には多数の線状突起１２２が一定間隔で突設され、吸入孔１２４が前記線状突起１２２の間に形成され、下端部には遮蔽片が下向きに折り曲げられて突設され、前記本体部１２０の下面には、上面が閉鎖された円筒状のリブ１２８′により一体的に連結された多数の連結管１２８が下向きに突出される。
【００１７】
この際、本体部の両端部には、固定体１１０の中心軸に沿って形成された結合凹部１１４を備え、各結合凹部１１４は、曲面切欠きを形成し得るように所定の曲率半径を有した形状となっている。前記線状突起１２２は上面が所定の角度で傾いている。
【００１８】
図３は本発明による一体型防音パネルを示す正面図、図４は本発明による一体型防音パネルを示す断面図である。両図に示すように、防音パネル１００の本体部１２０の内部が隔板１４２により第１、第２、第３吸音室１３４、１３６、１３８に区画され、前記第１吸音室１３６には吸音材１３２が挿入され、第１及び第３吸音室１３４、１３８は同じ幅Ａを有し、底面は前方に所定角度θ3の傾きで底板１４４が形成される。
【００１９】
この際、前記前方シート１０２の下端部には排出孔１０６が形成され、前記第１及び第３吸音室１３４、１３８の幅Ａは５〜１０ｃｍが好ましい、底面に形成された底板１４４の角度θ3は２〜１０°である。
【００２０】
図５は図３のＡ部の拡大断面図であって、防音パネル１００の本体部１２０の両側端部に、固定体の中心軸に沿って、曲面切欠きを形成し得るように所定の半径を有する結合凹部１１４が形成された固定体１１０を示し、図６は図３のＢ部の拡大断面図であって、防音パネル１００の本体部１２０の両側端部に形成された固定体１１０に垂直方向にテンション片１１２が設けられたものを示す。
【００２１】
図７は図３のＣ部の拡大断面図であって、防音パネル１００の本体部１２０が隔板１４２により第１、第２、第３吸音室１３４、１３６、１３８に区画され、底面には所定角度θ3（２〜１０°）の傾きを有する底板１４４が形成されたものを示し、図８は図３のＤ部の拡大断面図であって、本体部１２０の前方シート１０２に線状突起１２２が一定間隔で突設され、吸入孔１２４が前記線状突起１２２の間に形成されたものを示す。
【００２２】
図９ａ、図９ｂ、図９ｃは本発明による防音パネルの使用状態を示す部分断面図である。
図９ａは、直立したＨビームからなった支持フレーム１０１の両側にそれぞれ防音パネル１００が結合され、固定体１１０のテンション片１１２が支持フレーム１０１の内面に押し付け力と摩擦力とで固定され、支持フレーム１０１の外面は本体部１２０の前方シート１０２と後方シート１０４で取り囲まれて、外部に露出しないように結合されたものを示し、図９ｂは、防音パネル１００を本体部１２０の両側面に形成された固定体１１０のテンション片１１２が支持フレーム１０１に密着状態で結合され、それぞれの防音パネル１００は底面に形成された連結管１２８により結合されたものを示す。
【００２３】
この際、前記固定体１１０のテンション片１１２は支持フレーム１０１により圧着されるので、一定の反発力で堅く支持、固定される。
【００２４】
図９ｃは、防音パネルを、円筒状の支持フレームを用いて曲線形に設置した状態を示すもので、前記曲線形に防音パネル１００を設置しようとする場合、円筒状の支持フレーム１０１を設置した後、防音パネル１００に、固定体１１０に形成された所定半径の結合凹部１１４を結合する。
【００２５】
このような本発明の作用効果を説明するとつぎのようである。
図２ないし図９ｃに示すように、本体部１１０の前方シート１０２及び後方シート１０４の両側端部には、縦方向に多数のテンション片１１２が一定間隔で突設され、中心軸に沿って所定の半径を有する弧状の結合凹部１１４が形成された固定体１１０が一体的に形成され、前記前方シート１０２には多数の線状突起１２２及び吸入孔１２４が一定間隔で形成され、線状突起１２２の上下面が所定角度θ1、θ2だけ傾き、下端部には遮蔽片１２６が下向きに折り曲げられ、底面には多数の連結管１２８が下向きに突出し、前記本体部１２０の内部には隔板１４２により第１、第２、第３吸音室１３４、１３６、１３８が区画され、底面が一定角度θ3の底板１４４をなし、前記本体部１２０の上面にカバー１５０が結合され、前記前方シート１０２の下端部には排出孔１０６が形成され、前記連結管１２８は上面が閉鎖され、リブ１２８′により一体的に連結され、前記本体部１２０の両側端部に中心軸に沿って所定半径の結合凹部１１４が形成された防音パネル１００を、道路に隣接した学校、病院、住宅など、騒音の防止が必要なところに設置するためには、まず既に設置された構造物（図示せず）にＨビームからなる支持フレーム１０１を一定間隔で設置する。
【００２６】
この状態で、前記防音パネル１００を支持フレーム１０１間に結合すると、防音のための防音パネル１００の設置が完了される。この際、支持フレーム１０１に結合される防音パネル１００は本体部１２０の両側面に形成された固定体１１０のテンション片１１２により堅く支持、固定され、前方シート１０２及び後方シート１０４により防音パネル１００が結合される支持フレーム１０１が外部に露出しないように取り囲まれる。
【００２７】
このように、前記支持フレーム１０１に防音パネル１００を結合した後、前記のような方法で多数（設置しようとする防音パネルの高さによって決定）の防音パネル１００を縦方向に連結すると、所望高さの防音パネルが完成される。前記防音パネル１００と防音パネル１００は底面に設けられた連結管１２８により相互結合され、前記連結管１２８に形成されたリブ１２８′により、それぞれの防音パネル１００の内部、つまり隔板１４２により区画された第１、第２、第３吸音室１３４、１３６、１３８が閉鎖され、独立した吸音空間を有することになり、最上端に位置する防音パネル１００の上面には内部閉鎖のためのカバー１５０が結合される。
【００２８】
したがって、前記防音パネル１００の本体部１２０の隔板１４２により区画され、吸音材１３２が挿入された第２吸音室１３６と一定の幅Ａを有する第１、第３吸音室１３４、１３８により、前方シート１０２に形成された吸入孔１２４に流入した騒音が減衰される。
前記吸入孔１２４を介して流入した騒音は第１吸音室１３４を経て、第２吸音室１３６に挿入された吸音材１３２により一次に吸収、分散され、一次に除去されていない騒音は前記吸音材１３２を通過してから第３吸音室１３８に流入した後、内壁で反射されて吸音材１３２に流入して二次に吸音（吸収、分散）される。一次及び二次吸音によっても除去されなかった騒音は、防音パネル１００が密閉された状態であるので、外部に伝播されずに本体部１２０の内部、つまり第１、第２、第３吸音室１３４、１３６、１３８内で繰り返し反射、吸収及び分散されるので、高周波の高音だけでなく低周波の微細な騒音までも吸収、分散させて、完全な防音をなす。
【００２９】
また、騒音が前方シート１０２に形成された吸入孔１２４を介して第１吸音室１３４に流入するに際して、前記前方シート１０２の外面に等間隔で突出した多数の線状突起１２２が所定角度θ1、θ2（図８参照）だけ傾いているので、上下方から流入する騒音が傾斜面に沿って円滑に吸入孔１２４に案内、流入される。
【００３０】
そして、一定の高さを有するように縦方向に積層、連結される防音パネル１００の前方シート１０２の下端部には遮蔽片１２６が下向きに突出されるので、連結部位が遮られて全体外観を向上させるとともに、連結部位の隙間による騒音を完全に減衰させることができる。
このような隙間による騒音は、前記防音パネル１００の本体部１２０の底面の連結管１２８に形成されたリブ１２８′により完全に減衰され、堅く支持、固定される。
【００３１】
一方、風又は雨により、前方シート１０２に形成された吸入孔１２４を介して各種の異物、粉塵などが流入して本体部１２０の内部、特に第１吸音室１３４に積むと、長期間経過の際、異物、粉塵などにより吸音効率が低下する。ところで、本発明による防音パネル１００は、図７に示すように、本体部１２０の底面が所定角度θ3の底板１４４が形成され、前方シート１０２の下端に排出孔１０６が形成されるので、前記吸入孔１２４を介して流入した異物、粉塵、又は雨水が内部に蓄積されるか又は溜まることなく、底板１４４に沿って流れて排出孔１０６を介して外部に排出される。したがって、異物及び粉塵による吸音効率が低下するか、あるいは腐食されるなどの欠点を防止することができ、常に清浄な状態で防音効果を発揮し得るものである。
【００３２】
ここで、前記吸入孔１２４への騒音流入に適当な前記線状突起１２２の角度θ1は２０〜３０°、θ2は５〜１０°が好ましい。前記本体部１２０の底面に形成された底板１４４の角度θ3は２〜１０°であり、前記第１、第３吸音室１３４、１３８の幅Ａは５〜１０ｃｍであるとき、最も理想的な吸音効果が得られる。
【００３３】
道路などの屈曲場所に防音パネル１００を設置する場合、図９ａに示すように、Ｈビームからなる支持フレーム１０１の代わりに、円筒状の支持フレーム１０１′を用いると、簡便に屈曲形態で防音パネル１００を設置することができる。すなわち、防音パネル１００の本体部１２０に形成された固定体１１０の中心軸に沿って所定半径の結合凹部１１４が形成されているので、防音パネル１００の設置の際、連結凹部１１４により支持フレーム１０１′に対して回動自在になって、屈曲形態に防音パネル１００を設置する事が可能になる。
【００３４】
このような防音パネル１００は、道路に隣接した学校、病院、住宅などの騒音防止が必要な場所だけでなく、工場内部及び電鉄駅内部の騒音を減衰するために設置する。
【産業上の利用可能性】
【００３５】
以上説明したように、本発明による一体型防音パネルは、防音パネルの施工及び設置が簡便で容易であり、耐久性及び堅牢性を向上させ、支持フレームとの連結部位が外部に全く露出しないので、美麗な外観を表出することができ、積層されたそれぞれの防音パネルが独立した防音室形態をなすので、高音騒音、低音騒音及び隙間による騒音を減衰させて完全な防音処理を可能にするとともに、外部から流入する粉塵を排出させることができるので、清潔な防音ができる。また、防音パネルを一体型の単一射出で成形するので、製造費用を節減することができ、経済的な効果がある。
【図面の簡単な説明】
【００３６】
図１ａ及び図１ｂは従来の防音パネルを示す要部拡大断面図である。
図２は本発明による一体型防音パネルを示す斜視図である。
図３は本発明による一体型防音パネルを示す正面図である。
図４は本発明による一体型防音パネルを示す縦断面図である。
図５は図３のＡ部の断面図である。
図６は図３のＢ部の断面図である。
図７は図３のＣ部の断面図である。
図８は図３のＤ部の断面図である。
図９ａ、９ｂ、９ｃは本発明による一体型防音パネルの動作効果を示す断面図である。
【符号の説明】
【００３７】
１００  防音パネル
１０２  前方シート
１１０  固定体
１１２  テンション片
１１４  結合凹部
１２２  線状突起
１２４  吸入孔
１２６  遮蔽片
１２８  連結管
【図１】
2005506478.tif 000003
【図２】
2005506478.tif 000004
【図３】
2005506478.tif 000005
【図４】
2005506478.tif 000006
【図５】
2005506478.tif 000007
【図６】
2005506478.tif 000008
【図７】
2005506478.tif 000009
【図８】
2005506478.tif 000010
【図９】
2005506478.tif 000011
【国際公開パンフレット】
2005506478.tif 000012
2005506478.tif 000013
2005506478.tif 000014
2005506478.tif 000015
2005506478.tif 000016
2005506478.tif 000017
2005506478.tif 000018
2005506478.tif 000019
2005506478.tif 000020
2005506478.tif 000021
2005506478.tif 000022
2005506478.tif 000023
2005506478.tif 000024
2005506478.tif 000025
2005506478.tif 000026
2005506478.tif 000027
2005506478.tif 000028
2005506478.tif 000029
2005506478.tif 000030
2005506478.tif 000031
2005506478.tif 000032
2005506478.tif 000033
2005506478.tif 000034
2005506478.tif 000035
2005506478.tif 000036
2005506478.tif 000037
2005506478.tif 000038
2005506478.tif 000039
【国際調査報告】
2005506478.tif 000040